(57)【要約】      （修正有）【課題】紙基板の第１基板を残し、第２基板のみを交換でき、かつフレキシブル回路コネクタの接続を容易とする配線基板、配線装置および情報記録装置を提供する。【解決手段】配線基板は、紙基板と、配線とを備える。紙基板は、少なくとも第１基板３０ｂ１と、第１基板委３０ｂ１に接着された第２基板３０ｂ２とを有する。第１基板３０ｂ１と第２基板３０ｂ２との間の折曲部６４Ａにフレキシブル回路コネクタ８０Ｂが設けられている。フレキシブル回路コネクタは、第１基板３０ｂ１側の第１接着部４２ａと、第２基板３０ｂ２側の第２接着部４２ｂとを有する。第２接着部４２ｂは外側接着部４２ｂ１と内側接着部４２ｂ２とからなる。【選択図】図９Ａ
2020057666.tif 000002
【特許請求の範囲】
【請求項１】
紙基板と、
前記紙基板上に設けられた配線とを備え、
前記紙基板は第１基板と、この第１基板に接着されるとともに、前記第１基板に折曲部を介して折曲自在に連結された第２基板とを有し、
前記配線は、前記第１基板と前記第２基板との間の折曲部を跨いで設けられたフレキシブル回路コネクタを有し、
前記フレキシブル回路コネクタは前記第１基板に接着される第１接着部と、前記第２基板に接着される第２接着部とを有し、
前記第２接着部は前記第２基板側端部に延びる外側接着部と、この外側接着部の内側に位置する内側接着部とを有し、前記外側接着部は前記内側接着部を残して前記第２基板に接着される配線基板。
【請求項２】
請求項１記載の配線基板を準備する工程と、
前記フレキシブル回路コネクタを前記外側接着部と前記内側接着部との間で切断するとともに、前記第１基板と前記第２基板を互いに分離する工程と、
前記第２基板を新たな第２基板と交換して、前記第１基板と新たな第２基板を重ね合わせて接着する工程と、
前記フレキシブル回路コネクタの前記内側接着部を新たな第２基板に接着する工程とを備えた配線基板の使用方法。
【請求項３】
紙基板と、
前記紙基板上に設けられた配線とを備え、
前記紙基板は第１基板と、この第１基板に接着されるとともに、前記第１基板に折曲部を介して折曲自在に連結された第２基板とを有し、
前記配線は、前記第１基板と前記第２基板との間の折曲部を跨いで設けられたフレキシブル回路コネクタを有し、
前記フレキシブル回路コネクタは前記第１基板に接着される第１接着部と、前記第２基板に接着される第２接着部とを有し、
前記第２接着部は前記第２基板側端部に延びる外側接着部と、この外側接着部の内側に位置する内側接着部とを有し、前記外側接着部は前記内側接着部を残して前記第２基板に接着される配線基板と、
前記配線に接続された通信モジュールとを備えた、配線装置。
【請求項４】
請求項３記載の配線装置を準備する工程と、
前記フレキシブル回路コネクタを前記外側接着部と前記内側接着部との間で切断するとともに、前記第１基板と前記第２基板を互いに分離する工程と、
前記第２基板を新たな第２基板と交換して、前記第１基板と新たな第２基板を重ね合わせて接着する工程と、
前記フレキシブル回路コネクタの前記内側接着部を新たな第２基板に接着する工程とを備えた、配線装置の使用方法。
【請求項５】
紙基板と、
前記紙基板上に設けられた配線とを備え、
前記紙基板は第１基板と、この第１基板に接着されるとともに、前記第１基板に折曲部を介して折曲自在に連結された第２基板とを有し、
前記配線は、前記第１基板と前記第２基板との間の折曲部を跨いで設けられたフレキシブル回路コネクタを有し、
前記フレキシブル回路コネクタは前記第１基板に接着される第１接着部と、前記第２基板に接着される第２接着部とを有し、
前記第２接着部は前記第２基板側端部に延びる外側接着部と、この外側接着部の内側に位置する内側接着部とを有し、前記外側接着部は前記内側接着部を残して前記第２基板に接着される配線基板と、
前記配線基板上に設けられ、使用者が押圧可能な複数のボタンと、
前記配線基板上に設けられ、前記ボタンに接続された通信モジュールとを備え、
前記通信モジュールは使用者が押圧した前記ボタンの押圧情報を記憶する記憶部と、前記記憶部に記憶された情報を外部へ出力する出力インターフェース部とを有する、情報記録装置。
【請求項６】
前記配線基板上に、前記ボタンが押圧された際に押圧確認を行う発光部を設けた、請求項５記載の情報記録装置。
【請求項７】
請求項５記載の情報記録装置を準備する工程と、
前記フレキシブル回路コネクタを前記外側接着部と前記内側接着部との間で切断するとともに、前記第１基板と前記第２基板を互いに分離する工程と、  
前記第２基板を新たな第２基板と交換して、前記第１基板と新たな第２基板を重ね合わせて接着する工程と、
前記フレキシブル回路コネクタの前記内側接着部を新たな第２基板に接着する工程とを備えた、情報記録装置の使用方法。
【発明の詳細な説明】
【技術分野】
【０００１】
本開示の実施の形態は、ボタンの押圧情報を記憶して、記憶された情報を外部に伝送するインタフェース機能を備えた配線基板、配線装置および情報記録装置に関する。
【背景技術】
【０００２】
紙などの折り畳み可能なシート材に通信機能をもつ通信モジュールを内蔵させて、ある限られた期間だけ外部との無線通信を行い、その期間が終了すると、廃棄することを前提した装置が提案されている（特許文献１参照）。
【０００３】
この特許文献１に開示された使い捨て式自己充足型測定装置は、センサを含むデータ入力・試料採取部分とデータ取得部分とを、印字可能で折り畳み可能なシート材で密封したものである。この装置では、シート材として、紙などの安価で廃棄が容易な材料を用いることを想定している。
【０００４】
また、特許文献１には、シート材に、音声要素と視覚表示器等の付加的手段を設けてもよいことが記載されている。
【０００５】
さらに、特許文献２には、患者が自分自身の健康状態を記録して表示可能な携帯装置が開示されている。
【先行技術文献】
【特許文献】
【０００６】
【特許文献１】特許５０７４１９３号公報
【特許文献２】特許３２５０８１０号公報
【発明の概要】
【発明が解決しようとする課題】
【０００７】
このような装置において、シート材には通信機能をもつ通信モジュールと錠剤が内蔵されており、かつシート材は折り畳まれて使用される。この場合、シート材は通信モジュール側のシート材と、錠剤側のシート材とに区画される。シート材を繰り返して折り畳んだ際、配線が破断することが考えられるためシート材の折曲部には、フレキシブル回路コネクタが設けることが検討されている。
【０００８】
上述のようにシート材には通信モジュールと、錠剤とが内臓されているが錠剤は消耗品となっている。他方、通信モジュールは比較的長期間使用することが可能となる。
【０００９】
このような場合、通信モジュール側のシート材を引き続き使用することができるとともに、錠剤側のシート材のみ簡単に交換することができれば、都合が良い。
【００１０】
本開示の実施形態はこのような点を考慮してなされたものであり、紙基板の第１基板をそのまま使用しながら、第２基板のみを簡単に交換することができ、かつ第１基板と第２基板を堅固に連結することができる、配線基板、配線装置および情報記録装置を提供することを目的とする。
【課題を解決するための手段】
【００１１】
本開示は紙基板と、前記紙基板上に設けられた配線とを備え、前記紙基板は第１基板と、この第１基板に接着されるとともに、前記第１基板に折曲部を介して折曲自在に連結された第２基板とを有し、前記配線は、前記第１基板と前記第２基板との間の折曲部を跨いで設けられたフレキシブル回路コネクタを有し、前記フレキシブル回路コネクタは前記第１基板に接着される第１接着部と、前記第２基板に接着される第２接着部とを有し、前記第２接着部は前記第２基板側端部に延びる外側接着部と、この外側接着部の内側に位置する内側接着部とを有し、前記外側接着部は前記内側接着部を残して前記第２基板に接着される配線基板である。
【００１２】
本開示は、上記記載の配線基板を準備する工程と、前記フレキシブル回路コネクタを前記外側接着部と前記内側接着部との間で切断するとともに、前記第１基板と前記第２基板を互いに分離する工程と、前記第２基板を新たな第２基板と交換して、前記第１基板と新たな第２基板を重ね合わせて接着する工程と、前記フレキシブル回路コネクタの前記内側接着部を新たな第２基板に接着する工程とを備えた配線基板の使用方法である。
【００１３】
本開示は紙基板と、前記紙基板上に設けられた配線とを備え、前記紙基板は第１基板と、この第１基板に接着されるとともに、前記第１基板に折曲部を介して折曲自在に連結された第２基板とを有し、前記配線は、前記第１基板と前記第２基板との間の折曲部を跨いで設けられたフレキシブル回路コネクタを有し、前記フレキシブル回路コネクタは前記第１基板に接着される第１接着部と、前記第２基板に接着される第２接着部とを有し、前記第２接着部は前記第２基板側端部に延びる外側接着部と、この外側接着部の内側に位置する内側接着部とを有し、前記外側接着部は前記内側接着部を残して前記第２基板に接着される配線基板と、前記配線に接続された通信モジュールとを備えた、配線装置である。。
【００１４】
本開示は、上記記載の配線装置を準備する工程と、前記フレキシブル回路コネクタを前記外側接着部と前記内側接着部との間で切断するとともに、前記第１基板と前記第２基板を互いに分離する工程と、前記第２基板を新たな第２基板と交換して、前記第１基板と新たな第２基板を重ね合わせて接着する工程と、前記フレキシブル回路コネクタの前記内側接着部を新たな第２基板に接着する工程とを備えた、配線装置の使用方法である。
【００１５】
本開示は紙基板と、前記紙基板上に設けられた配線とを備え、前記紙基板は第１基板と、この第１基板に接着されるとともに、前記第１基板に折曲部を介して折曲自在に連結された第２基板とを有し、前記配線は、前記第１基板と前記第２基板との間の折曲部を跨いで設けられたフレキシブル回路コネクタを有し、前記フレキシブル回路コネクタは前記第１基板に接着される第１接着部と、前記第２基板に接着される第２接着部とを有し、前記第２接着部は前記第２基板側端部に延びる外側接着部と、この外側接着部の内側に位置する内側接着部とを有し、前記外側接着部は前記内側接着部を残して前記第２基板に接着される配線基板と、前記配線基板上に設けられ、使用者が押圧可能な複数のボタンと、前記配線基板上に設けられ、前記ボタンに接続された通信モジュールとを備え、前記通信モジュールは使用者が押圧した前記ボタンの押圧情報を記憶する記憶部と、前記記憶部に記憶された情報を外部へ出力する出力インターフェース部とを有する、情報記録装置である。
【００１６】
本開示は前記配線基板上に、前記ボタンが押圧された際に押圧確認を行う発光部を設けた、情報記録装置である。
【００１７】
本開示は上記記載の情報記録装置を準備する工程と、前記フレキシブル回路コネクタを前記外側接着部と前記内側接着部との間で切断するとともに、前記第１基板と前記第２基板を互いに分離する工程と、前記第２基板を新たな第２基板と交換して、前記第１基板と新たな第２基板を重ね合わせて接着する工程と、前記フレキシブル回路コネクタの前記内側接着部を新たな第２基板に接着する工程とを備えた、情報記録装置の使用方法である。
【発明の効果】
【００１８】
以上のように本開示の実施の形態によれば、紙基板の第１基板をそのまま残しながら、第２基板のみを変換することができ、かつ第１基板と第２基板を堅固に連結することができる。
【図面の簡単な説明】
【００１９】
【図１】図１は本開示の実施形態に係る情報記録装置の外観図。
【図２】図２は図１の情報記録装置の展開図。
【図３】図３は通信モジュールの概略構成を示すブロック図。
【図４】図４はＡＳＩＣの内部構成の一例を示すブロック図。
【図５】図５は服薬記録カードの元となる紙基板を展開した図。
【図６Ａ】図６Ａはフレキシブル回路コネクタを示す平面図。
【図６Ｂ】図６Ｂはフレキシブル回路コネクタを示す側断面図。
【図７Ａ】図７Ａはフレキシブル回路コネクタを示す側断面図。
【図７Ｂ】図７Ｂはフレキシブル回路コネクタを示す側断面図。
【図８】図８はフレキシブル確認回路と通信モジュールの接続関係を示す図。
【図９Ａ】図９Ａは第１基板と第２基板の取付構造を示す側面図。
【図９Ｂ】図９Ｂは第１基板と第２基板の取付構造を示す側面図。
【図９Ｃ】図９Ｃは第１基板と第２基板の取付構造を示す側面図。
【図９Ｄ】図９Ｄはフレキシブル回路コネクタの各部の長さを示す図。
【図１０Ａ】図１０Ａは第１基板を裏面側からみた図。
【図１０Ｂ】図１０Ｂは第２基板を裏面側からみた図。
【図１０Ｃ】図１０Ｃは第１基板を表面側からみた図。
【図１０Ｄ】図１０Ｄは第１基板に連結される第２基板側の紙基板を表面側からみた図。
【図１１Ａ】図１１Ａは錠剤側基板を交換した後の第１基板と第２基板を裏面側からみた図。
【図１１Ｂ】図１１Ｂは錠剤側基板を交換した後の第１基板と第２基板を表面側からみた図。
【発明を実施するための形態】
【００２０】
＜本実施の形態＞
以下、本実施の形態について、詳細に説明する。  
本実施形態は、患者が薬を服用した日時と服用後の具合を記録する情報記録装置であって、図１はその外観図である。図１の情報記録装置は、シート状の服薬記録カードからなり、折り畳み式になっていて、展開すると図２のような情報入力面２が現れる。情報記録装置１としての服薬記録カードは後述する紙基板３０と、紙基板３０上に設けられた導電回路（以下、配線ともいう）１８Ａと、この導電回路１８Ａに回路コネクタ９０を介して接続された無線送信可能な通信モジュール１０とを備えている（図３および図５Ａ参照）。
【００２１】
このうち紙基板３０と、この紙基板３０上に設けられた導電回路（配線）１８Ａとにより、回路基板（以下、配線基板ともいう）７０が構成されている。なお、回路コネクタ９０は必ずしも設ける必要はなく、また回路コネクタ９０はフレキシブルなコネクタでも堅固なコネクタであってもよい。
【００２２】
服薬記録カードからなる情報記録装置１について更に述べる。服薬記録カードは使用者、例えば患者が病院での診察を終えて、処方箋に基づいて薬の調合が終わった段階で患者に渡されるものである。この服薬記録カードでは、患者が薬を服用した後に、患者自ら選択ボタンを押圧して、体の具合を記録できるようにしている。
【００２３】
図２の服薬記録カードの情報入力面２は３面構成であり、第１面２ａにはスタートボタン３と取り消しボタン４が設けられ、第２面２ｂには患者が服用すべき薬（錠剤）５が配置され、第３面２ｃには患者の症状の度合いを入力するための選択ボタンが配置されている。第１面２ａの裏面側が図１の「服薬記録カード」と記載された面である。
【００２４】
第３面２ｃには、薬の効用に関連する複数の症状が記載されている。図２の例では、（１）症状１、（２）症状２、（３）症状３、（４）症状４および（５）症状５の計５種類の症状が記載され、各症状ごとに、３通りの度合い（重度、中度、軽度）から一つを選択可能になっている。患者は、まず、５種類の症状に対応する選択ボタン６ａ〜６ｅからなる第１ボタン列６のいずれかを押圧して、特定の症状を選択した後に、引き続いて、その症状の度合いに対応する選択ボタン７ａ〜７ｃからなる第２ボタン列７のいずれかを押圧する。これにより、患者は、薬を服用した後に特定の症状の度合いを入力できる。患者は、必ずしも５種類の症状のすべてに回答する必要はなく、一部の症状のみに回答してもよい。
【００２５】
第１ボタン列６を構成する各選択ボタン６ａ〜６ｅは図２のＸ方向に沿って配置され、第２ボタン列７を構成する各選択ボタンは、第１ボタン列６に略平行にＹ方向に沿って複数列にわたって配置されている。
【００２６】
なお、第３面２ｃに記載された症状とその度合いは、あくまで一例にすぎず、薬の種類によって任意に変更して構わない。
【００２７】
患者は、服薬記録カードの使用を開始するときに、スタートボタン３を押圧する。その後、患者は、第２面２ｂに配置された錠剤５のケース５ａを指で押し込んで、第２面２ｂの下面側から薬を取り出して、服用する。そして、服用後の症状の度合いに該当する選択ボタン６、７を押圧する。
【００２８】
患者が押圧したスタートボタン３、取り消しボタン４、錠剤５の各ケースおよび各選択ボタン６、７の情報は、服薬記録カード内に内蔵された通信モジュール１０に自動的に記憶される仕組みになっている。
【００２９】
図３は上述した無線通信可能な通信モジュール１０の概略構成を示すブロック図である。図３の通信モジュール１０は、樹脂基板１１の上に実装されたＩＣチップとしてのＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１２と、水晶振動子１３と、ボタン電池１４と、スピーカ１５と、樹脂基板１１の長辺に沿って形成される複数のパッド１６と、樹脂基板１１の外縁部に沿って形成されるアンテナパターン１７ａと、樹脂基板１１上に形成される導電パターン１７ｂとを有する。
【００３０】
図３は通信モジュール１０の内部構成を機能化したブロック図であり、実際の各回路部品やパターンの配置やサイズ、形状、個数は任意に変更可能である。
【００３１】
図４はＡＳＩＣ１２の内部構成の一例を示すブロック図である。図４のＡＳＩＣ１２は、患者が押圧したスタートボタン３、取り消しボタン４、錠剤５の各ケースおよび各選択ボタンの情報を時刻情報とともに時系列で記憶する記憶部２１と、記憶部２１に押圧情報を記憶する制御を行う制御部２２と、不図示のホストコンピュータとの間で無線通信を行う無線通信部（出力インターフェース部）２３とを有する。
【００３２】
また制御部２２は、患者がボタンを押圧した際、その押圧された情報を後述するフレキシブル確認回路１００のＬＥＤ発光部１０２を駆動させて発光させる。
【００３３】
記憶部２１は、患者が押圧したボタンを特定する情報と、そのボタンが押圧された時刻情報とを組にして記憶する。取り消しボタン４は、取り消しボタン４が押圧される直前に押圧されたボタンの情報を取り消すことを意図したものである。ホストコンピュータは、記憶部２１に取り消しボタン４の押圧を特定する情報と、そのボタンが押圧された時刻情報とが記憶されている場合は、取り消しボタン４の直前に押圧されたボタンの情報を取り消す。
【００３４】
無線通信部２３は、ホストコンピュータとの間で、いわゆるＮＦＣ（Ｎｅａｒ  Ｆｉｅｌｄ  Ｃｏｍｍｕｎｉｃａｔｉｏｎ、近接無線通信）やBluetooth（登録商標）等の非接触通信を行って、情報の送受を行う。無線通信部２３が無線通信に用いる方式や周波数帯域は特に制限されるものではなく、例えば１３．５６ＭＨｚの帯域でＩＳＯ１４４４３に準拠した無線方式で無線通信を行い、Bluetoothの場合は規格で定めた周波数（例えば２．４ＧＨｚ）で無線通信を行う。
【００３５】
ＮＦＣでは、規格上電力の送受もできるため、電池なしで通信モジュール１０を駆動することも原理的には可能である。ただし、本実施形態の通信モジュール１０は、スピーカ１５も備えており、電力の消費量が比較的大きいため、ボタン電池１４を搭載している。
【００３６】
次に、本実施形態に係る服薬記録カードの具体的構造について説明する。図５に示すように、服薬記録カード１は、通信モジュール側基板３０Ａと錠剤側基板３０Ｂとからなる紙基板３０を備える。
【００３７】
図５は服薬記録カードの元となる通信モジュール側基板３０Ａと錠剤側基板３０Ｂとからなる紙基板３０を展開した図である。紙基板３０は、図５に示す通信モジュール側基板３０Ａと錠剤側基板３０Ｂとからなる。ここで、通信モジュール側基板３０Ａと錠剤側基板３０Ｂは物理的に分離可能となっているが、通信モジュール側基板３０Ａ自体および錠剤側基板３０Ｂ自体は各々物理的に分離することはできない。通信モジュール側基板３０Ａは、後述する基板３０ａ１、３０ｂ１，３０ｃ１を含み、錠剤側基板３０Ｂは後述する基板３０ａ２，３０ｂ２，３０ｃ２，３０ａ３、３０ｂ３，３０ｃ３を含む。そして通信モジュール側基板３０Ａと錠剤側基板３０Ｂは、互いに重ね合わされて接着されている。
【００３８】
また、通信モジュール側基板３０Ａと錠剤側基板３０Ｂとからなる紙基板３０は、縦方向に延びる折曲線６１で三等分に折曲げ可能となっており、このうち中央の分割基板３０ｂは、最下層に配置されて導電パターン１８が形成される最下層基板３０ｂである。その右側の分割基板３０ｃは、主に切り欠き６２とミシン目６３を有し、最下層基板３０ｂの上に配置される中間層基板３０ｃである。最下層基板３０ｂの左側の分割基板３０ａは、スイッチ接点の導通／遮断を行う導電パターン３８を有し、中間層基板３０ｃの上に配置される最上層基板３０ａである。
【００３９】
服薬記録カード１の作製にあたっては、通信モジュール側基板３０Ａと錠剤側基板３０Ｂとをフレキシブル回路コネクタ８０Ｂを介して連結することにより、予め紙基板３０を作製しておく。次に三等分された最下層基板３０ｂに中間層基板３０ｃを折り畳んで熱圧着した後に、その上に錠剤５を収納するケース５ａ含む成形シートを載せ、その上に最上層基板３０ａを折り畳んで熱圧着することにより、図２の構造が得られる。したがって、図５Ａに示す最上層基板３０ａの裏面側が、図２に示す情報入力面２になる。
【００４０】
最下層基板３０ｂの上に中間層基板３０ｃを折り畳んで熱圧着する前に、最下層基板３０ｂに通信モジュール１０が接合され、その上に最上層基板３０ａが熱圧着される。このように、通信モジュール１０は、最下層基板３０ｂと最上層基板３０ａの間に挟み込まれる。これにより、最下層基板３０ｂの表面に形成された導電パターン１８と通信モジュール１０は、服薬記録カードの完成状態では、外見に現れない。同様に、最上層基板３０ａ上の導電パターンも、中間層基板３０ｃの上に折り畳まれて熱圧着されるため、外見に現れない。
【００４１】
次に、最下層基板３０ｂの表面に形成された導電パターン１８について図５を用いて説明する。図５の導電パターン１８は、３分割された基板３０ｂ１，３０ｂ２，３０ｂ３を含む情報入力面２に対応した３つのパターン面を有する。
【００４２】
基板３０ｂ１に対応するパターン面は、スタートボタン３に対応したスイッチ接点３１と、取り消しボタン４に対応したスイッチ接点３２とを有する。基板３０ｂ２に対応するパターン面は、錠剤５の各ケースに対応した計６つのスイッチ接点３３を有する。基板３０ｂ３に対応するパターン面は、患者の症状および症状の程度を選択する各選択ボタンに対応した計２０個のスイッチ接点３４〜３７を有する。
【００４３】
これらスイッチ接点３１〜３７のうち、錠剤５の各ケースに５ａ対応した計６つのスイッチ接点３３は初期状態で導通しており、それ以外の全てのスイッチ接点３１、３２、３４〜３７は初期状態で遮断されている。
【００４４】
錠剤５の各ケース５ａに対応したスイッチ接点３３は、ケース５ａを押圧して錠剤５を取り出す際に物理的に破断されて、電気的導通が遮断される。それ以外のスイッチ接点３１、３２、３４〜３７は、対応するボタンを押圧したときに、情報入力面２の裏面側に設けられた円形の導電パターン３８が対応するスイッチ接点に接触して、押圧している間だけ一時的に導通する。
【００４５】
このように、スイッチ接点３１〜３７の中には、初期状態で電気的に導通しているものと、電気的に遮断されているものとがある。各スイッチ接点を物理的に破断するか、各スイッチ接点に別の導電パターンを接触させることにより、スイッチ接点の状態を切り替えることができる。
【００４６】
図５に示す各スイッチ接点３１〜３７の一端は、導電パターン１８を介して第１基板３０ｂ１のパターン面上の端子部３９の対応する端子に接続され、他端はいずれも導電パターン１８を介して接地端子に接続されている。端子部３９には、スイッチ接点の総数分の端子が設けられ、これに加えて、端子部３９の両端側には接地端子が設けられている。接地端子から延びる導電パターン（以下、接地パターン１８ａ）は、基板３０ｂ１〜３０ｂ３の外縁に沿って、他の導電パターンとスイッチ接点を取り囲むように形成されている。
【００４７】
この接地パターン１８ａは、ノイズの低減を図るために、他の導電パターンよりも太く形成されている。
【００４８】
ここで上述した導電パターン１８と接地パターン１８ａとにより、導電回路１８Ａが構成される。また導電回路１８Ａに端子部３９が接続される。また紙基板３０と、紙基板３０上に形成された導電回路１８Ａとにより通信モジュール１０が接合される前の回路基板７０が構成される。
【００４９】
このように、すべてのスイッチ接点が、対応する端子と接地パターン１８ａとの間に接続されている。したがって、いずれかのスイッチ接点の状態が変化すると、その変化した情報が、専用の端子を介して通信モジュール１０に伝達されることになる。通信モジュール１０内の記憶部２１は、接点の状態が変化したスイッチ接点を特定する情報と、すなわち押圧された選択ボタンまたは破断位置を特定する情報と、接点の状態が変化した時刻情報とを記憶する。
【００５０】
基板３０ｂ３のパターン面上の各スイッチ接点は、Ｘ方向に沿って配置される第１ボタン列に対応する第１スイッチ接点列３４と、第１ボタン列に略平行にＹ方向に沿って配置される複数の第２ボタン列に対応する複数の第２スイッチ接点列３５〜３７とにグループ分けされている。
【００５１】
第２スイッチ接点列３５〜３７のそれぞれにおける計５個のスイッチ接点の一端側はいずれも共通の端子に接続され、他端側はいずれも接地端子に接続されており、これら５個のスイッチ接点は並列接続されている。図５の例では、計５個のスイッチ接点が並列接続された第２スイッチ接点列３５〜３７が計３個設けられている。
【００５２】
並列接続された各スイッチ接点列３５〜３７内のどのスイッチ接点の状態が変化しても、その状態変化情報は同じ端子を介して通信モジュール１０に伝達されるため、通信モジュール１０では、どのスイッチ接点が変化したのかをその情報だけでは特定できない。そこで、本実施形態では、第２スイッチ接点列３５〜３７内のスイッチ接点の状態を変化させる前に、第１スイッチ接点列３４内のスイッチ接点の状態を変化させるようにルール化することで、第２スイッチ接点列３５〜３７内のどのスイッチ接点の状態が変化したかを特定している。
【００５３】
より具体的には、まず第１スイッチ接点列３４内のいずれかのスイッチ接点の状態を変化させて、このスイッチ接点のＸ方向位置を検出する。そして、同じＸ方向位置にある第２スイッチ接点列３５〜３７内の計３個のスイッチ接点を選択候補として決定する。次に、これら３個のスイッチ接点の中で、状態が変化したものがあれば、そのスイッチ接点の情報を通信モジュール１０に伝達する。
【００５４】
このように、第１スイッチ接点列３４内のスイッチ接点の状態変化情報と、第２スイッチ接点列３５〜３７内のスイッチ接点の状態変化情報とを組み合わせることで、第２スイッチ接点列３５〜３７内の特定のスイッチ接点の状態を正しく通信モジュール１０に伝達することができる。
【００５５】
複数のスイッチ接点を並列接続して、一端側を共通の端子に接続することは、端子部３９内の端子の総数と導電パターン１８の数を削減できることから、特にパターン面積が限られている場合に有効である。第２スイッチ接点列３５〜３７内の複数のスイッチ接点を並列接続しても、第２スイッチ接点列３５〜３７と平行に配置された第１スイッチ接点列３４内のスイッチ接点の状態と組み合わせることで、第２スイッチ接点列３５〜３７内の特定のスイッチ接点の状態を正確に特定できるため、実用上の問題は起きない。  
このように、本実施形態に係る服薬記録カード１は、スタートボタン３や各種の選択ボタンの他に、直前のボタン操作を取り消すための取り消しボタン４を具備するため、ボタンの誤操作による誤った情報が取消情報なく通信モジュール１０に伝達されるおそれがなくなり、通信モジュール１０およびホストコンピュータに伝達される情報の信頼性が向上する。
【００５６】
次に図５により情報記録装置１の通信モジュール側基板３０Ａと錠剤側基板３０Ｂとからなる紙基板３０について更に説明する。上述のように紙基板３０は縦方向に延びる折曲線６１を介して互いに連結された３つの分割基板３０ａ，３０ｂ，３０ｃを有し、このうち分割基板３０ａは最上層基板３０ａとなり、分割基板３０ｂは最下層基板３０ｂとなり、分割基板３０ｃは中間層基板３０ｃとなっている。
【００５７】
また最上層基板３０ａは、横方向に延びる分離線６５を介して、３つの基板３０ａ１，３０ａ２，３０ａ３に分離されている。この場合、基板３０ａ１は、通信モジュール側基板３０Ａを構成し、基板３０ａ２，３０ａ３は錠剤側基板３０Ｂを構成する。また中間層基板３０ｃも、横方向に延びる分離線６５を介して、３つの基板３０ｃ１，３０ｃ２，３０ｃ３に分離されている。この場合、基板３０ｃ１は、通信モジュール側基板３０Ａを構成し、基板３０ｃ２，３０ｃ３は錠剤側基板３０Ｂを構成する。更に、最下層基板３０ｂは、通信モジュ−ル側基板３０Ａを構成する基板３０ｂ１と、錠剤側基板３０Ｂを構成する基板３０ｂ２，３０ｂ３とを含む。このうち基板３０ｂ１と基板３０ｂ２とは、基板３０ｂ１側に設けられた１本の折曲線６４を含む折曲部６４Ａにより折曲げ可能となり、基板３０ｂ２と基板３０ｂ３とは、２本の折曲線６４を含む折曲部６４Ａにより折曲げ可能となっている。
【００５８】
なお、本実施の形態において、「横方向」、「縦方向」とは、紙基板３０を図５Ａに示す状態に配置した場合における「横方向」、「縦方向」を意味する。
【００５９】
また最下層基板３０ｂには、導電パターン１８と接地パターン１８ａとからなる導電回路１８Ａが設けられている。
【００６０】
また、最下層基板３０ｂの基板３０ｂ２と基板３０ｂ３との間の折曲部６４Ａには、折曲部６４Ａを介して繰り返し折り曲げた場合でも、導電回路１８Ａが破断したり破損することを防止するため、破断防止のためのフレキシブル回路コネクタ８０Ａが設けられ、基板３０ｂ１と基板３０ｂ２との間の折曲部６４Ａを跨いで配線接続のためのフレキシブル回路コネクタ８０Ｂが設けられている。
【００６１】
なお中間層基板３０ｃは、分離線６５を介して３つの基板３０ｃ１，３０ｃ２，３０ｃ３に分離されているが、このうち基板３０ｃ１は第１基板３０ｂ１の横方向右側へ延びる第１側板となり、基板３０ｃ２は第２基板３０ｂ２の横方向右側へ延びる第２側板となる。また基板３０c３は第３基板３０ｂ３の横方向右側へ延びる第３側板となる。
【００６２】
また、最上層基板３０ａは、分離線６５を介して３つの基板３０ａ１，３０ａ２，３０ａ３に分離されているが、このうち基板３０ａ１は第１基板３０ｂ１の横方向左側へ延びる第１追加側板となり、基板３０ａ２は第２基板３０ｂ２の横方向左側へ延びる第２追加側板となる。また基板３０ａ３は第３基板３０ｂ３の横方向左側へ延びる第３追加側板となる。
【００６３】
フレキシブル回路コネクタ８０Ａ、８０Ｂは、略同様の構造をもつため、ここではフレキシブル回路コネクタ８０Ｂについて図６Ａおよび図６Ｂにより説明する。
【００６４】
図６Ａおよび図６Ｂに示すように、導電回路１８Ａのうち第１基板３０ｂ１上の導電回路は、第１導電回路（第１配線ともいう）９３となっており、第２基板３０ｂ２上の導電回路は第２導電回路（第２配線ともいう）９４となっている。
【００６５】
フレキシブル回路コネクタ８０Ｂは最下層基板３０ｂのうち、折曲部６４Ａを介して連結された第１基板３０ｂ１と第２基板３０ｂ２との間に折曲部６４Ａを跨いで設けられ、第１基板３０ｂ１側の第１導電回路９３と第２基板３０ｂ２側の第２導電回路９４とを接続するものである。この場合、第１基板３０ｂ１上の第１導電回路９３と第２基板３０ｂ２上の第２導電回路９４は互いに離間し、フレキシブル回路コネクタ８０Ｂを設けることにより、初めて導通するようになっている。
【００６６】
次にフレキシブル回路コネクタ８０Ｂについて更に述べる。
【００６７】
図５、図６Ａおよび図６Ｂに示すように、フレキシブル回路コネクタ８０Ｂは、絶縁性基材８１と、絶縁性基材８１の一側に設けられた一側端子部８３と、絶縁性基材８１の他側に設けられた他側端子部８４と、これら一側端子部８３と他側端子部８４とを接続する複数の導電部（導電インキ）８２とを有する。
【００６８】
この場合、導電部８２は一側端子部８３から他側端子部８４まで直線状に延びている。
【００６９】
また一側端子部８３および他側端子部８４上には、ヒートシール時に異方導電性能を発現する異方導電性接着剤８７が設けられている。
【００７０】
ところで、一側端子部８３は第１基板３０ｂ１上の第１導電回路９３に接続される端子部であり、他側端子部８４は第２基板３０ｂ２上の第２導電回路９４に接続される端子部である。
【００７１】
また絶縁性基材８１上には、一側端子部８３と一側端子部８３上の異方導電性接着剤８７と、他側端子部８４と他側端子部８４上の異方導電性接着剤８７を露出させ、導電部８２上を覆ってアクリルからなる絶縁層８８が設けられている。
【００７２】
絶縁層８８の材質としては、特に限定はなく、ビニル系、ゴム系などの材料を使用できる。また、図７Ａに示すように、フレキシブル回路コネクタ８０Ｂの絶縁層８８として、異方導電性接着剤製のものを使用することもできる。
【００７３】
図７Ａにおいて、導電部８２上に同一の異方導電性接着剤を印刷することにより、異方導電性接着剤からなり異方導電性能を発現する予定となる異方導電性能発現予定部８７ａと、異方導電性能を発現しない異方導電性接着剤製の絶縁層８８とを同時に形成することができ、製造効率の向上を図ることができる。
【００７４】
図７Ｂに示すように、フレキシブル回路コネクタ８０Ｂを第１導電回路９３または第２導電回路９４にヒートシールする際、異方導電性接着剤からなる異方導電性能発現予定部８７ａがヒートシールされて、異方導電性能を発現する異方導電性能発現部８７ｂに変わる。図７Ｂにおいて、絶縁層８８は、異方導電性接着剤からなるが、異方導電性能は発現していない。
【００７５】
なお、フレキシブル回路コネクタ８０Ｂの絶縁性基材８１は、柔軟性基材、例えばポリエチレンテレフタレートまたはポリブチレンテレフタレート製の基材からなる。そしてフレキシブル回路コネクタ８０Ｂは一側端子部８３および他側端子部８４を下方に向けて、一側端子部８３と第１基板３０ｂ１の第１導電回路９３を接続させ、他側端子部８４と第２基板３０ｂ２の第２導電回路９４とを接続させて、第１導電回路９３と第２導電回路９４とを接続する（図６Ａおよび図６Ｂ参照）。
【００７６】
同様に、最下層基板３０ｂの第２基板３０ｂ２と第３基板３０ｂ３との間に折曲部６４Ａを跨いで、第２導電回路９４と第３導電回路９５を接続するフレキシブル回路コネクタ８０Ａが設けられている。このため、最下層基板３０ｂを折曲部６４Ａを介して繰り返し折り曲げたり拡げたりした場合であっても、フレキシブル回路コネクタ８０Ａが破断することはない。以上のことから、第１基板３０ｂ１の第１導電回路９３と第２基板３０ｂ２の第２導電回路９４との間で確実な配線接続を行うことができ、かつ破断したり破損することなく、常に安定的に第１導電回路９３と第２導電回路９４との間の導通を得ることができる。また第２基板３０ｂ２の第２導電回路９４と第３基板３０ｂ３の第３導電回路９５との間で、破断したり破損することなく、常に安定的に第２導電回路９４と第３導電回路９５との間の導通を得ることができる。
【００７７】
ところで、情報記録装置１は紙基板３０と、この紙基板３０に組み込まれた通信モジュール１０、各種ボタン３、４、６、７、錠剤５等を備えている。
【００７８】
このうち通信モジュール１０は、比較的長期間使用可能であるが、とりわけ錠剤５は消耗品となる。
【００７９】
このような場合、通信モジュール１０を含む基板３０ａ１、３０ｂ１、３０ｃ１は通信モジュール側基板として長期間使用することができ、その他の基板３０ａ２、３０ｂ２、３０ｃ２、および３０ａ３、３０ｂ３、３０ｃ３を錠剤側基板として交換することができれば、通信モジュール１０を無駄なく使用することができて都合が良い。
【００８０】
そこで本実施の形態において通信モジュール側基板３０ａ１、３０ｂ１、３０ｃ１と、錠剤側基板３０ａ２、３０ｂ２、３０ｃ２および３０ａ３、３０ｂ３、３０ｃ３とは互いに分離可能に連結されている。
【００８１】
具体的には通信モジュール側基板３０ａ１、３０ｂ１、３０ｃ１は一体に形成され、錠剤側基板３０ａ２、３０ｂ２、３０ｃ２および３０ａ３、３０ｂ３、３０ｃ３も一体に形成されている。
【００８２】
そして通信モジュール側基板のうち第１基板３０ｂ１と、錠剤側基板のうち第２基板３０ｂ２とが互いに重ね合わされて、接着されている（図９Ａ参照）。
【００８３】
次に紙基板３０に対するフレキシブル回路コネクタ８０Ａ，８０Ｂの取り付け構造について述べる。ここでは紙基板３０に対するフレキシブル回路コネクタ８０Ｂの紙基板３０に対する取り付け構造を示すが、フレキシブル回路コネクタ８０Ａの取り付け構造も、フレキシブル回路コネクタ８０Ｂの取り付け構造と同一である。
【００８４】
図９Ａ乃至図９Ｃに示すように、フレキシブル回路コネクタ８０Ｂは一側端子部８３および他側端子部８４を下方へ向けて第１基板３０ｂ１と第２基板３０ｂ２との間の折曲部６４Ａを跨いで設けられ、最下層基板３０ｂのうち第１基板３０ｂ１の第１導電回路９３と、第２基板３０ｂ２の第２導電回路９４との間を接続している。
【００８５】
この場合、第１基板３０ｂ１上にフレキシブル回路コネクタ８０Ｂが固着される第１固着部４１ａが設けられ、第２基板３０ｂ２上にフレキシブル回路コネクタ８０Ｂが固着される第２固着部４１ｂが設けられている。
【００８６】
さらにフレキシブル回路コネクタ８０Ｂは、第１基板３０ｂ１側の第１固着部４１ａに接着される第１接着部４２ａと、第２基板３０ｂ２側の第２固着部４１ｂに接着される第２接着部４２ｂとを有する。
【００８７】
またフレキシブル回路コネクタ８０Ｂの第２接着部４２ｂは、更に第２基板３０ｂ２側端部に折曲部６４Ａと平行に延びる外側接着部４２ｂ１と、この外側接着部４２ｂ１の内側に位置するとともに折曲部６４Ａと平行に延びる内側接着部４２ｂ２とを含む。
【００８８】
図９Ａ乃至図９Ｄに示す実施の形態において、フレキシブル回路コネクタ８０Ｂの全幅、すなわち折曲部６４Ａと直交する方向に延びる全幅をｗとし、第１接着部４２ａの幅をｗ１とし、第２接着部４２ｂの外側接着部４２ｂ１の幅をｗ２とし、第２接着部４２ｂの内側接着部４２ｂ２の幅をｗ３とする。
【００８９】
このとき例えばフレキシブル回路コネクタ８０Ｂの幅ｗは２０ｍｍ、第１接着部４２の幅ｗ１は３ｍｍ、外側接着部４２ｂ１の幅ｗ２は３ｍ、内側接着部４２ｂ２の幅ｗ３は３ｍｍとなっている。
【００９０】
このような構成からなるフレキシブル回路コネクタ８０Ｂはまず、第１接着部４２ａが第１基板３０ｂ１側の第１固着部４１ａにヒートシールにより接着され、次に第２接着部４２ｂのうち外側接着部４２ｂ１が第２基板３０ｂ２側の第２固着部４１ｂにヒートシールにより接着され、このようにして第１基板３０ｂ１と第２基板３０ｂ２との間の折曲部６４Ａを跨いでフレキシブル回路コネクタ８０Ｂが紙基板３０に取付けられる。
【００９１】
次に情報記録装置１の通信モジュール１０を無駄なく使用する方法を、以下図９Ａ
乃至図９Ｄ、図１０Ａ乃至図１０Ｄおよび図１１Ａおよび図１１Ｂにより説明する。
【００９２】
まず、実施の形態による情報記録装置１を準備して使用する（図９Ａ参照）。次に情報記録装置１を長時間使用した後、紙基板３０のうち通信モジュール側基板３０ａ１、３０ｂ１、３０ｃ１と、錠剤側基板３０ａ２、３０ｂ２，３０ｃ２および３０ａ３、３０ｃ３を互いに分離する（図９Ｂ参照）。
【００９３】
この際、はじめに通信モジュール側基板３０Ａの第１基板３０ｂ１と、錠剤側基板３０Ｂの第２基板３０ｂ２を切断線Ｌにおいて切断する。このとき、同時にフレキシブル回路コネクタ８０Ｂも切断線Ｌにおいて切断される。この場合、切断線Ｌはフレキシブル回路コネクタ８０Ｂの第２接着部４２ｂのうち、外側接着部４２ｂ１と内側接着部４２ｂ２との間の境界に一致する。このようにフレキシブル回路コネクタ８０Ｂを切断することにより、フレキシブル回路コネクタ８０Ｂは内側接着部４２ｂ２と外側接着部４２ｂ１との間で切断され、外側接着部４２ｂ１が第２基板３０ｂ２側に残る。このとき内側接着部４２ｂ２は第２基板３０ｂ２から離れて自由端部を構成する。
【００９４】
このようにして通信モジュール側基板３０ａ１、３０ｂ１、３０ｃ１と、錠剤側基板３０ａ２、３０ｂ２、３０ｃ２および３０ａ３、３０ｂ３、３０ｃ３とが互いに分離される（図１０Ａ乃至図１０Ｄ参照）。
【００９５】
次に錠剤側基板３０ａ２、３０ｂ２、３０ｃ２および３０ａ３、３０ｂ３、３０ｃ３が新しい錠剤側基板１３０ａ２、１３０ｂ２、１３０ｃ２および１３０ａ３、１３０ｂ３、１３０ｃ３と交換される。
【００９６】
この際、通信モジュール側基板のうち第１基板３０ｂ１と、新しい錠剤側基板の第２基板１３０ｂ２とが重ね合われて接着される。
【００９７】
このことにより、通信モジュール側基板３０Ａの第１基板３０ｂ１と錠剤側基板３０Ｂの第２基板１３０ｂ２とが堅固に連結される（図１１Ａ乃至図１１Ｂ参照）。
【００９８】
その後に図９Ｃに示すように、フレキシブル回路コネクタ８０Ｂの自由端部を構成する内側接着部４２ｂ２が新しい第２基板１３０ｂ２上にヒートシールされて接着される。このようにして錠剤側基板３０ａ２、３０ｂ２、３０ｃ２および３０ａ３、３０ｂ３、３０ｃ３が新しい錠剤側基板１３０ａ２、１３０ｂ２、１３０ｃ２および１３０ａ３、１３０ｂ３、１３０ｃ３と交換された情報記録装置１の元となる紙基板３０が得られる（図９Ｃ参照）。
【００９９】
ところで、上述のように最下層基板３０ｂのうち、２本の折曲線６４からなる折曲部６４Ａ上に設置されたフレキシブル回路コネクタ８０Ａは、フレキシブル回路コネクタ８０Ａを内側にして紙基板３０を折り曲げる際、最下層基板３０ｂから浮き上がる。
【０１００】
このためフレキシブル回路コネクタ８０Ａの浮き上がりを防止するため、フレキシブル回路コネクタ８０Ａの両側に、折り曲げ時にフレキシブル回路コネクタ８０Ａを押える係止片１１１，１１１Ａが設けられている。
【０１０１】
この場合、フレキシブル回路コネクタ８０Ａは最下層基板３０ｂの第２基板３０ｂ２と第３基板３０ｂ３間の折曲部６４Ａ上に設けられている。またフレキシブル回路コネクタ８０Ａの浮き上がりを抑える係止片１１１はフレキシブル回路コネクタ８０Ａの一端側、具体的には中間層基板３０ｃの第２側板３０ｃ２および第３側板３０ｃ３のうちの一方、例えば第２側板３０ｃ２側に設けられている。
【０１０２】
このように第２側板３０ｃ２側に係止片１１１を設けることにより、フレキシブル回路コネクタ８０Ａの右端部を係止片１１１により押えることができる。また係止片１１１の基端に、紙基板３０を貫通して形成された開口１１２が形成されている。
【０１０３】
この開口１１２は、最下層基板３０ｂ上に中間層基板３０ｃを重ね合わせ、更に最下層基板３０ｂの第１基板３０ｂ１と中間層基板３０ｃの第１側板３０ｃ１を最下層基板３０ｂの第２基板３０ｂ２と中間層基板３０ｃの第２側板３０ｃ２上に折り曲げて重ね合わせる際、係止片１１１によって係止片１１１が取付けられた第２側板３０ｃ２外面を傷を付けることを防ぐものである。
【０１０４】
すなわち、係止片１１１の基端に開口１１２を設けない場合、最下層基板３０ｂの第１基板３０ｂ１と中間層基板３０ｃの第１側板３０ｃ１を最下層基板３０ｂの第２基板３０ｂ２と中間層基板３０ｃの第２側板３０ｃ２上に重ね合わせる際、この係止片１１１が剛性をもって、係止片１１１が取付けられた第２側板３０ｃ２の外面を傷付けてしまう。
【０１０５】
これに対して本実施の形態によれば、折り曲げ時において係止片１１１は、第２側板３０ｃ２に基端において当接することになるが、係止片１１１はこの基端に開口１１２を設けたので、第２側板３０ｃ２の基端が剛性をもつことはなく、第２側板３０ｃ２の外面に傷を付けることもない。
【０１０６】
同様にフレキシブル回路コネクタ８０Ａの他端側には、フレキシブル回路コネクタ８０Ｂの浮き上がりを防止する係止片１１１Ａが第２追加側板３０ａ２または第３追加側板３０ａ３のうちの一方、例えば第２追加側板３０ａ２側に設けられ、係止片１１１Ａの基端には、開口１１２Ａが形成されている。
【０１０７】
また第２側板３０ｃ２に設けられた係止片１１１の開口１１２および第２追加側板３０ａ２に設けられた係止片１１１Ａの開口１１２Ａは、いずれも最下層基板３０ｂに横方向に設けられた一方の折曲線６４の延長線上に配置されていることが好ましい。
【０１０８】
ところで、第２追加側板３０ａ２に係止片１１１Ａを設けるとともに、係止片１１１Ａの基端に開口１１２Ａを設けた例を示したが、これに限らず第２追加側板３０ａ２に係止片１１１Ａを設けることなく、第２側板３０ｃ２のうち紙基板３０を折り曲げた際、フレキシブル回路コネクタ８０Ｂの他端側に位置する部分にフレキシブル回路コネクタ８０Ｂの浮き上がりを押える係止片１１３を設けるとともに、この係止片１１３の基端に切り欠き１１４を設けてもよい。
【０１０９】
ところで、上記実施の形態において、最下層基板３０ｂの基板３０ｂ１を第１基板とし、基板３０ｂ２を第２基板とし、基板３０ｂ３を第３基板とするとともに、中間層基板３０ｃの基板３０ｃ１を第１側板とし、基板３０ｃ２を第２側板とし、基板３０ｃ３を第３側板とするとともに、最上層基板３０ａの基板３０ａ１を第１追加側板とし、基板３０ａ２を第２追加側板とし、基板３０a３を第３追加基板とする例を示した。
【０１１０】
これに限らず、最下層基板３０ｂの基板３０ｂ１を第１基板とし、基板３０ｂ２を第２基板とし、基板３０ｂ３を第３基板とするとともに、最上層基板３０ａの基板３０ａ１を第１側板とし、基板３０ａ２を第２側板とし、基板３０a３を第３側板とするとともに、中間層基板３０ｃの基板３０ｃ１を第１追加側板とし、基板３０ｃ２を第２追加側板とし、基板３０ｃ３を第３追加側板としてもよい。
【０１１１】
また上述のように、紙基板３０のうち分割基板３０ｂに、通信モジュール１０が配置されるが、この分割基板３０ｂ上であって、通信モジュール１０の裏面にフレキシブル確認回路１００が介在される（図５および図８参照）。このフレキシブル確認回路１００はいずれかのボタン、例えばスタートボタン３、取り消しボタン４、錠剤５のケース５ａ、選択ボタン６および選択ボタン７のいずれかのボタンが押圧された際に、この押圧確認を行うＬＥＤ発光部１０２等の押圧確認手段を含む。
【０１１２】
具体的には、図５および図８に示すように、フレキシブル確認回路１００はビニル系、ゴム系の材料からなる絶縁性のフレキシブル基材１０１と、このフレキシブル基材１０１上に実装されたＬＥＤ発光部１０２と、フレキシブル基材１０１上に設けられ、ＬＥＤ発光部１０２と通信モジュール１０とを接続するとともに、線状に形成された導電部１０３とを有する。
【０１１３】
ここで、図８は分割基板３０ｂに配置される通信モジュールの裏面と、この通信モジュール１０の裏面上に取付けられたフレキシブル確認回路１００とを示す。
【０１１４】
そしてフレキシブル確認回路１００のＬＥＤ発光部１０２は、紙基板３０のうち分割基材３０ａに形成された発光部用窓１０５を介して外方へ露出する。そしてＬＥＤ発光部１０２は、ボタン３、４、５ａ、６および７のうちいずれかのボタンが患者により押圧された際、通信モジュール１０の制御部２２により発光して発光部用窓１０５から発光状態を外方へ現わすようになっている。
【０１１５】
このようにＬＥＤ発光部１０２は、ボタンが押圧された際に押圧確認を行う押圧確認手段として機能するが、このような押圧確認手段として他の押圧確認手段、例えば他の発光部を用いてもよく、発光部以外に押圧確認手段としては振動を発生させる振動子を用いてもよい。
【０１１６】
ところでＬＥＤ発光部１０２としては、例えばチップ状のＬＥＤ素子を用いることができ、ＬＥＤ発光部１０２の電源は通信モジュール１０内のボタン電池から供給される。
【０１１７】
次に、紙基板３０に対してフレキシブル確認回路１００を設置する方法について図５および図８により説明する。
【０１１８】
まずフレキシブル基材１０１上に印刷等により線状の導電部１０３が形成され、この導電部１０３の一側端部（図８の左側端部）に、チップ状のＬＥＤ素子からなるＬＥＤ発光部１０２が導電性接着剤等により実装される。このようにしてフレキシブル基材１０１と、導電部１０３と、ＬＥＤ発光部１０２とを有するフレキシブル確認回路１００が構成される。
【０１１９】
次に、このようにして構成されたフレキシブル確認回路１００は、導電部１０３およびＬＥＤ発光部１０２を通信モジュール１０側へ向けて、通信モジュール１０の裏面に取付けられる。本実施形態においては、フレキシブル確認回路１００は、通信モジュール１０のスピーカ端子部に接続されている。この場合、スタートボタン３、取り消しボタン４、錠剤５のケース５ａ、選択ボタン６および選択ボタン７のいずれかのボタンが押圧された際にスピーカからブザー音が鳴るように設定しておくことで、ブザー音に連動してＬＥＤ発光部１０２が発光する。また、ボタン毎にブザー音を変えておくとＬＥＤの発光も変化する為、発光状態でどのボタンが押されたか視覚的に確認することが可能になる。
【０１２０】
このとき、通信モジュール１０は、フレキシブル確認回路１００の導電部１０３の他側端部（図８の右側端部）に導電性接着剤を用いて接続される。
【０１２１】
このように予めフレキシブル確認回路１００と通信モジュール１０とを接続しておき、互いに接続された通信モジュール１０とフレキシブル確認回路は、その後、紙基板３０の分割基板３０ｂ上に載置される。
【０１２２】
この際、通信モジュール１０は分割基板３０ｂ上に設けられた導電回路１８Ａに、回路コネクタ９０を介して接続される。
【０１２３】
使用に際して、患者（使用者）がいずれかのボタン、例えばスタートボタン３、取り消しボタン４、錠剤５のケース５ａ、選択ボタン６および選択ボタン７のうちいずれかのボタンを押圧した際、通信モジュール１０の制御部２２により、フレキシブル確認回路１００のＬＥＤ発光部１０２を発光させる。このときＬＥＤ発光部１０２の発光状態は、発光部用窓１０５から外方へ現れる。このことにより、患者は、自らがいずれかのボタンを押圧したことを直ちに確認することができる。
【０１２４】
一般に紙基板３０に設けられたボタン３、４、５ａ、６、７を押圧した場合、この押圧したという感覚はボタンから得ることはできない。このためボタン３、４、５ａ、６、７を押圧しても押圧したか否か不安になることも考えられるが、本実施の形態によれば、ボタン３、４、５ａ、６、７を押圧した場合、患者は直ちに発光部用窓１０５を介してＬＥＤ発光部１０２の発光状態を確認することができるため、ボタンを押圧したことを直ちに確認することができる。
【０１２５】
また、フレキシブル確認回路１００は、予めフレキシブル基材１０１上にＬＥＤ発光部１０２を実装することにより得られ、このようにして得られたフレキシブル確認回路１００を通信モジュール１０に簡単に接続することができる。またフレキシブル確認回路１００が接続された通信モジュール１０は、紙基板３０の分割基板３０ｂ上に設けられた導電回路１８Ａに回路コネクタ９０を介して接続されるため、紙基板３０にて対して通信モジュール１０およびフレキシブル確認回路１００を容易かつ簡単に取り付けることができる。
【０１２６】
すなわち、フレキシブル確認回路１００を用いることなく、紙基板３０の分割基板３０ｂ上にＬＥＤ発光部を設け、このＬＥＤ発光部と通信モジュールを別個の導電線に接続することも考えられるが、導電線の引き回し作業、あるいは導電部と通信モジュールおよびＬＥＤ発光部との接続作業を紙基板３０上で実行する必要があり、接続作業は煩雑である。
【０１２７】
なお、本実施の形態にかかる情報記録装置は、服薬記録カードに限らず、種々の目的（例えば、糖尿病治療経過記録カード、リウマチ用治療経過記録カード、疼痛・服薬記録カードなど）に適用可能である。用途も、必ずしも医療目的でなくてもなく、生活記録、アンケート収集など、何らかの情報を記録して、記録した情報を無線通信でホストコンピュータに送信可能なものであれば、どのような用途に用いてもよい。
【符号の説明】
【０１２８】
１  服薬記録カード
２  情報入力面
３  スタートボタン
４  取り消しボタン
５  薬（錠剤）
５ａ  ケース
６（６ａ〜６ｅ）  選択ボタン
７（７ａ〜７ｃ）  選択ボタン
１０  通信モジュール
１１  樹脂基板
１２  ＡＳＩＣ
１３  水晶振動子
１４  ボタン電池
１５  スピーカ
１６  パッド
１７  アンテナパターン
１８  導電パターン
１８Ａ  導電回路（配線）
１８ａ  接地パターン
３０  紙基板
３０Ａ  通信モジュール側基板
３０Ｂ  錠剤側基板
３０ａ、３０ｂ、３０ｃ  分割基板
３０ａ１，３０ａ２，３０ａ３  基板
３０ｂ１，３０ｂ２，３０ｂ３  基板
３０ｃ１，３０ｃ２，３０ｃ３  基板
３１〜３７  スイッチ接点
３９  端子部
４１ａ  第１固着部
４１ｂ  第２固着部
４２ａ  第１接着部
４２ｂ  第２接着部
４２ｂ１  外側接着部
４２ｂ２  内側接着部
６１  折曲線
６２  孔（切り欠き）
６３  ミシン目
６４  折曲線
６４Ａ  折曲部
７０  回路基板（配線基板）
８０Ａ，８０Ｂ  フレキシブル回路コネクタ
９０  回路コネクタ
１００  フレキシブル確認回路
１０１  フレキシブル基材
１０２  ＬＥＤ発光部
１０３  導電部
【図１】
2020057666.tif 000003
【図２】
2020057666.tif 000004
【図３】
2020057666.tif 000005
【図４】
2020057666.tif 000006
【図５】
2020057666.tif 000007
【図６Ａ】
2020057666.tif 000008
【図６Ｂ】
2020057666.tif 000009
【図７Ａ】
2020057666.tif 000010
【図７Ｂ】
2020057666.tif 000011
【図８】
2020057666.tif 000012
【図９Ａ】
2020057666.tif 000013
【図９Ｂ】
2020057666.tif 000014
【図９Ｃ】
2020057666.tif 000015
【図９Ｄ】
2020057666.tif 000016
【図１０Ａ】
2020057666.tif 000017
【図１０Ｂ】
2020057666.tif 000018
【図１０Ｃ】
2020057666.tif 000019
【図１０Ｄ】
2020057666.tif 000020
【図１１Ａ】
2020057666.tif 000021
【図１１Ｂ】
2020057666.tif 000022